(57)【要約】【課題】操作パネル部１４、ひいては装置本体を大型化することなく、操作ボタン部の配置に必要な面積を無闇に増大することなく、且つ表示モニタ部の大型化が可能となる画像記録装置を提供する。【解決手段】左右に長い１個の表示モニタ装置４６はその奥端部を蝶番を介して操作パネル部１４に開閉回動可能に枢支されている。表示モニタ装置４６の表裏両面に画像表示面４６ａ、４６ｂを有している。表示モニタ装置４６が閉止されているとき、表面側の画像表示面４６ａが上を向いており、裏面側の画像表示面４６ｂが下面を向いている。表示モニタ装置４６が開いているとき、画像表示面４６ｂが前方を向いている。表示モニタ装置４６が伏せられた状態のとき、裏面側の画像表示面４６ｂで隠される領域に所定の機能を有する多数の操作ボタン部４７が配置され、その操作ボタン部４７の操作に対応する画像が画像表示面４６ｂに表示される。【選択図】図４
2008006698.tif 000002
【特許請求の範囲】
【請求項１】
操作ボタン部及び画像情報表示のための表示モニタ装置とを有する操作パネル部が装置本体の表面に配置されてなる画像記録装置において、
前記操作パネル部に、複数の表示モニタ装置がそれぞれ独立的に開閉回動可能に設けられ、
前記各表示モニタ装置の閉止時に、当該各表示モニタ装置における画像表示面にて隠れる領域毎に、操作ボタン部の少なくとも一部が配列され、
前記各表示モニタ装置の開き時には、当該開いた箇所における操作ボタン部の入力操作に応じた画像が前記開いた表示モニタ装置の画像表示面に表示されることを特徴とする画像記録装置。
【請求項２】
前記表示モニタ装置は左右に隣接して２個配置され、前記表示モニタ装置の開閉方向が同一であるか、または左右両表示モニタ装置が観音開き状に開閉回動することを特徴とする請求項１に記載の画像記録装置。
【請求項３】
操作ボタン部及び画像情報表示のための表示モニタ装置とを有する操作パネル部が装置本体の表面に配置されてなる画像記録装置において、
表裏両面に画像表示面が設けられた前記表示モニタ装置を、前記操作パネル部に対して開閉回動可能に設け、
前記表示モニタ装置の閉止時に当該表示モニタ装置における一方の画像表示面にて隠れる領域に、前記操作ボタン部の一部が配列され、
前記表示モニタ装置閉止時に外面に現れる他方の画像表示面には、前記隠された領域外の操作ボタン部の入力操作に応じた画像が表示される一方、
前記表示モニタ装置の開き時には、当該開いた箇所における操作ボタン部の入力操作に応じた画像が前記一方の画像表示面に表示されることを特徴とする画像記録装置。
【請求項４】
使用頻度の高い操作ボタン部は、前記表示モニタ装置により隠されない部位で常時露出しているように配置されていることを特徴とする請求項１乃至３のいずれかに記載の画像記録装置。
【発明の詳細な説明】
【技術分野】
【０００１】
本発明は、画像記録装置の構成に係り、より詳しくは、文字等の情報の入力のための操作ボタン部と文字やデータ等の画像を表示できる表示モニタを有する操作パネル部の構成に関するものである。
【背景技術】
【０００２】
一般にプリンタ、複写機、ファクシミリ等の画像記録装置では、その製品の各種機能を達成するための指示や装置の現在の状況や操作手順を入力するための操作ボタン部を有すると共に、上記指示や装置の現在の状況や操作手順の入力されたデータ等をユーザーに知らせるため、液晶パネル等の表示モニタを備えた操作パネル部は、装置本体（ハウジング）の上面前寄り部位などのユーザの視線が届き易い箇所に配置されている（特許文献１及び２）。
【特許文献１】特開２００６−１５０９７３号公報（図１、図２参照）
【特許文献２】特開２００３−０３５８９３号公報（図２参照）
【発明の開示】
【発明が解決しようとする課題】
【０００３】
ところで、最近のプリンタ、複写機、ファクシミリ等の画像記録装置では、その機能の数が増大しているため、操作ボタン部の必要面積が大きくなる一方、表示モニタには、表示されるデータの数が多くなり、大きい表示画面でないと、ユーザーによる確認作業が困難なるという問題があった。そのために、操作パネル部、ひいては装置本体を大型化することは、ユーザーの好みに適合しなくなるし、製造コストや流通コストも増大するという新たな問題を招来することになる。
【０００４】
本発明は、従来の上記の相反する課題を解決すべくなされたものであって、操作パネル部、ひいては装置本体を大型化することなく、操作ボタン部の配置に必要な面積を無闇に増大することなく、且つ表示モニタ部の大型化が可能となる画像記録装置を提供することを目的とするものである。
【課題を解決するための手段】
【０００５】
前記目的を達成するため、請求項１に記載の発明の画像記録装置は、操作ボタン部及び画像情報表示のための表示モニタ装置とを有する操作パネル部が装置本体の表面に配置されてなる画像記録装置において、前記操作パネル部に、複数の表示モニタ装置がそれぞれ独立的に開閉回動可能に設けられ、前記各表示モニタ装置の閉止時に、当該各表示モニタ装置における画像表示面にて隠れる領域毎に、操作ボタン部の少なくとも一部が配列され、前記各表示モニタ装置の開き時には、当該開いた箇所における操作ボタン部の入力操作に応じた画像が前記開いた表示モニタ装置の画像表示面に表示されるように構成したものである。
【０００６】
請求項２に記載の発明は、請求項１に記載の画像記録装置において、前記表示モニタ装置は左右に隣接して２個配置され、前記表示モニタ装置の開閉方向が同一であるか、または左右両表示モニタ装置が観音開き状に開閉回動するものである。
【０００７】
請求項３に記載の発明は、操作ボタン部及び画像情報表示のための表示モニタ装置とを有する操作パネル部が装置本体の表面に配置されてなる画像記録装置において、表裏両面に画像表示面が設けられた前記表示モニタ装置を、前記操作パネル部に対して開閉回動可能に設け、前記表示モニタ装置の閉止時に当該表示モニタ装置における一方の画像表示面にて隠れる領域に、前記操作ボタン部の一部が配列され、前記表示モニタ装置閉止時に外面に現れる他方の画像表示面には、前記隠された領域外の操作ボタン部の入力操作に応じた画像が表示される一方、前記表示モニタ装置の開き時には、当該開いた箇所における操作ボタン部の入力操作に応じた画像が前記一方の画像表示面に表示されることを特徴とするものである。
【０００８】
請求項４に記載の発明は、請求項１乃至３のいずれかに記載の画像記録装置において、使用頻度の高い操作ボタン部は、前記表示モニタ装置により隠されない部位で常時露出しているように配置されているものである。
【発明の効果】
【０００９】
請求項１に記載の発明によれば、操作ボタン部及び画像情報表示のための表示モニタ装置とを有する操作パネル部が装置本体の表面に配置されてなる画像記録装置において、前記操作パネル部に、複数の表示モニタ装置がそれぞれ独立的に開閉回動可能に設けられ、前記各表示モニタ装置の閉止時に、当該各表示モニタ装置における画像表示面にて隠れる領域毎に、操作ボタン部の少なくとも一部が配列され、前記各表示モニタ装置の開き時には、当該開いた箇所における操作ボタン部の入力操作に応じた画像が前記開いた表示モニタ装置の画像表示面に表示されるように構成したものであるから、表示モニタ装置の閉止時に、当該各表示モニタ装置における画像表示面にて隠れる領域毎に配置された操作ボタン部は、逆に各表示モニタ装置が開いた時にはユーザーが視認でき、且つ操作可能となるのであるから、各表示モニタ装置の開き時には、当該開いた箇所における操作ボタン部（キー）の入力操作に応じた画像が開いた表示モニタ装置の画像表示面に表示されるように構成しておけば、操作ボタン部を配列した領域と表示モニタ装置の配置領域とを別々の領域に設定した場合に比べて、操作ボタン部を配列した領域を小さくすることなく、表示モニタ装置の配置領域を大きくすることができるという効果を奏する。
【００１０】
請求項２に記載の発明によれば、前記表示モニタ装置は左右に隣接して２個配置され、前記表示モニタ装置の開閉方向が同一であるか、または左右両表示モニタ装置が観音開き状に開閉回動するものであるから、隣接する２つの表示モニタ装置の回動方向を変えるだけで、ユーザーの需要に合わせて画像記録装置の操作性が向上させることができる。
【００１１】
請求項３に記載の発明では、表裏両面に画像表示面が設けられた表示モニタ装置を、操作パネル部に対して開閉回動可能に設け、前記表示モニタ装置の閉止時に当該表示モニタ装置における一方の画像表示面にて隠れる領域に、前記操作ボタン部の一部が配列され、前記表示モニタ装置閉止時に外面に現れる他方の画像表示面には、前記隠された領域外の操作ボタン部の入力操作に応じた画像が表示される一方、前記表示モニタ装置の開き時には、当該開いた箇所における操作ボタン部の入力操作に応じた画像が前記一方の画像表示面に表示されるように構成したものであるから、前記表示モニタ装置の閉止状態及び開き状態のいずれの態様であっても、表裏いずれか一方の画像表示面に画像データを表示させることができると共に、操作ボタン部を配列した領域を広げたものでありながら表示モニタ装置自体を大型にすることができるのであり、限られた面積の操作パネル部に、多数の操作ボタン部を配置しながら、大型化した表示モニタ装置を配置でき、画像記録装置を大型化することなく、操作性を向上させることができるという顕著な効果を奏する。
【００１２】
請求項４に記載の発明によれば、使用頻度の高い操作ボタン部分が開閉回動する表示モニタ装置によって隠されることがなく、これによっても、画像記録装置の操作性が向上するのである。
【発明を実施するための最良の形態】
【００１３】
次に、本発明を具体化した最良の実施形態について説明する。図１（ａ）〜（ｃ）は第１実施形態の画像記録装置の斜視図、図２は側断面図、図３（ａ）〜（ｃ）は第２実施形態の画像記録装置の斜視図、図４（ａ）、（ｂ）は第３実施形態の画像記録装置の斜視図である。
【００１４】
本実施形態は、画像記録装置の１実施形態としての、プリンタ機能、コピー機能、スキャナ機能、ファクシミリ機能及びコードレス電話機能を備えた多機能装置１（ＭＦＤ：Multi Function Device ）に本発明を適用したものである。多機能装置１は、図示されていないコンピュータや電話通信網に接続可能であり、このコンピュータや他のファクシミリ装置から送信された画像データや文書データに基づいて、用紙の一例としての記録用紙に画像や文書を記録することができる。また、多機能装置１は、デジタルカメラ等の外部機器と接続されてデジタルカメラから出力される画像データを記録用紙に記録することができる。
【００１５】
本実施形態では、図１に示すように、合成樹脂製の本体ケース（ハウジング）２の下部に画像記録部（以下、記録部という）７が備えられている。そして、装置本体である本体ケース２の底部のカセット収納部（収納空間）に対して、本体ケース２の前側に開口された挿入口２ａから挿抜可能（実質上水平方向に出し入れ可能）な給紙カセット装置３（３３）が配置されている。以下、合成樹脂製の本体ケース２の挿入口２ａがある側を前側または前方といい、これを基準に装置の前側、左右側、後側（奥側）という。本体ケース２の前面部にはスロット部１１が備えられ、このスロット部１１にメモリカード等の各種記憶媒体が装填されることによって当該記憶媒体に記憶された画像データ等を記録用紙に記録することも可能である。
【００１６】
本体ケース２の上部には、コピー機能やファクシミリ機能における原稿読取などのための画像読取装置（スキャナ部）１２が画像読取部ケース１２ａ内に配置されている。
【００１７】
本体ケース２の上側には、画像読取装置１２の前方に各種操作ボタンや液晶表示部等を備えた操作パネル部１４が設けられており、画像読取装置１２と操作パネル部１４との平面視投影面積内に、記録部７と排紙部１０などが配置される。この排紙部１０の一側（図１で右側）であって、本体ケース２の前部側に、インクカートリッジの収納装置１５が内蔵されている。そして、本体ケース２の前部側に下端を蝶番を介して上下回動して開閉する蓋体２ｂにて収納装置（図示せず）の前面側が覆われている。
【００１８】
画像読取装置１２の上面には、原稿を載置することができる載置用ガラス板１６が設けられ、その下側に原稿読取り用のイメージスキャナ装置（ＣＩＳ：Contact Image Sensor）１７が図２の紙面と直交する方向（主走査方向、以下、Ｘ軸方向という）に往復移動可能に設けられている。
【００１９】
載置用ガラス板１６を覆う原稿カバー体１３はその後端部（図２で右側）が蝶番１３ａを介して画像読取部ケース１２ａに対して開閉自在に取り付けられている。
【００２０】
記録部７は、図２に示すように、上面開放された枠状のメインフレーム２１における左右一対の側板（図示せず）にて支持され、Ｘ軸方向（主走査方向）に延びる横長の板状（プレート状）の第１ガイド部材２２、第２ガイド部材２３と、これら両ガイド部材２２、２３に跨がって摺動自在に支持（搭載）されて往復移動可能に構成されたキャリッジ５と、記録ヘッド４が搭載されたキャリッジ５を往復移動させるために第２ガイド部材２３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）と、記録ヘッド４の下面側にて搬送される用紙Ｐを支持する板状のプラテン２６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン２６上で用紙Ｐが通過する方向での用紙搬送方向（矢印Ａ方向、図２参照）の上流側に、第１ガイド部材２２が配置され、下流側に第２ガイド部材２３が配置されることになる。
【００２１】
また、プラテン２６よりも搬送上流側には、搬送作用とレジスト作用を兼用させるレジストローラ対２７が配置されている。駆動ローラ２７ａと従動ローラ２７ｂとからなるレジストローラ対２７は用紙Ｐを記録ヘッド４の下面のノズル面とプラテン２６との隙間に搬送する。プラテン２６よりも下流側には、用紙Ｐの上面に接する拍車２８ｂと下面側の駆動する排紙ローラ２８ａとが配置されている。この排紙ローラ２８ａと拍車２８ｂとは記録済みの用紙Ｐを排紙部１０へと搬送する。
【００２２】
本実施形態では、図２に示すように、第１給紙カセット装置３は、用紙としての例えばＡ３サイズ、Ａ４サイズ、レターサイズ、リーガルサイズ等にカットされた大サイズの用紙をその短辺が（図２において紙面と直交する方向、主走査方向、Ｘ軸方向）に延びるようにして複数枚積層（堆積）されて収納できる収容部３ａを備えている。第１給紙カセット装置３の上部には、例えば葉書等の小サイズの用紙を複数枚堆積させて収納できる載置部３３ａを備えた第２給紙カセット装置３３がＹ軸方向（用紙搬送方向、副走査方向）に移動可能に装着されている。その場合、第２給紙カセット装置３３の底板の左右両側端部が第１給紙カセット装置３の左右両側板の上端面に摺接されて移動可能となっている。
【００２３】
第１給紙カセット装置３の奥側（後端側、給送方向下流側、図２において右側）には、用紙分離用の傾斜分離板８が配置されている。他方、本体ケース２側には、給紙手段６としての給紙ローラ６ｂが設けられている。即ち、給紙手段における給紙アーム６ａの上端部に駆動軸３４を備え、この駆動軸３４を中心として上下方向に回動可能な給紙アーム６ａが装着されている。歯車伝動機構６ｃ付きの給紙アーム６ａの下端に設けられた給紙ローラ６ｂと、傾斜分離板８における分離手段としての弾性分離パッド８ａ（実施形態では板バネ製である）との協働作用により、第１給紙カセット装置３及び第２給紙カセット装置３３に堆積された用紙である用紙Ｐが一枚ずつ分離搬送される。
【００２４】
分離された用紙Ｐは上横向きのＵターンパス（給紙搬送路）９用の側面視で横向きＵ字状の外径側搬送路体３５と、この外径側搬送路体３５の内径側に適宜隙間を隔てて配置される内径側搬送路体３６とを介して第１給紙カセット装置３よりも上側（高い位置）に設けられた記録部７に給送される。記録部７にて記録された用紙Ｐがその記録面を上向きにして排出される排紙部（排紙トレイ部）１０は、第２給紙カセット装置３３の上側に形成されており、排紙部１０に連通する排紙口１０ａ（挿入口２ａの上方、図１参照）が本体ケース２の前面に向かって開口されている。
【００２５】
給紙搬送路（Ｕターンパス）９の下流側には、内径側搬送路体３６よりも内径側から半径外方向に延びる用紙有無センサ用の検知レバー５５が回動可能に設けられており、給紙搬送路（Ｕターンパス）９を通過する用紙Ｐの先端縁及び後端縁の通過を検知できるようにしている（図２参照）。
【００２６】
次に、本発明における操作パネル部１４の構成について詳述する。第１実施形態は、図１（ａ）〜図１（ｃ）に示し、Ｘ軸方向（左右方向）に長い操作パネル部１４の左右中途部には、左右一対の液晶パネル型の表示モニタ装置４０、４１が同方向にそれぞれ独立的に開閉回動可能に配置されている。即ち、左右両表示モニタ装置４０、４１はその奥端部を蝶番を介してそれぞれ独立的に枢支され、各表示モニタ装置４０、４１が閉止されているとき（前向きに伏せた状態）では、画像表示面４０ａ，４１ａが下面を向いている（図１（ａ）参照）。各表示モニタ装置４０、４１が開いているとき（後向きに起立した状態）では、画像表示面４０ａ，４１ａが前方を向いている（図１（ｂ）及び図１（ｃ）参照）。
【００２７】
そして、各表示モニタ装置４０、４１が伏せられた状態の画像表示面４０ａ，４１ａと対面する領域毎（画像表示面４０ａ，４１ａでそれぞれ隠される領域）に所定の機能を有する操作ボタン部４２ａ、４２ｂが配置されている（図１（ｂ）及び図１（ｃ）参照）。図示実施形態では、左側表示モニタ装置４０に対応する操作ボタン部４２ａは、英字などの入力用及び文字種類変換用の多数個の操作ボタンであり、右側表示モニタ装置４１に対応する操作ボタン部４２ｂは、数字入力用の多数個の操作ボタン（テンキー）である。これらの操作ボタン部４２ａ、４２ｂは、相手側のファクシミリ番号の入力作業や、短縮番号登録時などの氏名、会社名称などの入力作業、基本設定作業等に使用するものであり、頻繁には使用しない。
【００２８】
さらに、一対の表示モニタ装置４０、４１よりも右外側部位及び左外側部位には、使用頻度の高い操作ボタン部を設ける。図示実施形態では、右外側部位に、電源ＯＮ・ＯＦＦボタン４３ａと、カラースタートボタン４３ｂと、モノクロスタートボタン４３ｃとが前後方向に配置され、それらの左隣部位には、画像表示面４０ａ，４１ａにおける画像スクロールなどの選択用ボタン４４と、ＯＫキー４３ｄ、クリアキー４３ｅ、メニューキー４３ｆが配置されている。左外側部位には、デジタルカメラプリントボタン４５ａ、コピーボタン４５ｂ、フアックスボタン４５ｃ及びスキャンボタン４５ｄなどの機能選択ボタンが配置されている。なお、上記プリントボタン４５ａ、コピーボタン４５ｂ、フアックスボタン４５ｃ及びスキャンボタン４５ｄにて対応する機能を実行するとき、カラー画像で行うか、モノクロ画像で行うかを選択するために、カラースタートボタン４３ｂまたはモノクロスタートボタン４３ｃのいずれかを押下するものである。
【００２９】
第１実施形態では、ファクシミリやプリント、コピーなどの機能を選択した後の待機時には、図１（ａ）のように、左右両表示モニタ装置４０、４１を伏せる（閉止する）ことにより、あまり使用しない操作ボタン部（キー）が埃で汚れるのを防止できる。また、上述のように、各表示モニタ装置４０（４１）の閉止時に、当該各表示モニタ装置４０（４１）における画像表示面４０ａ（４１ａ）にて隠れる領域毎に配置された操作ボタン部４２ａ（４２ｂ）は、逆に各表示モニタ装置４０（４１）が開いた時にはユーザーが視認でき、且つ操作可能となるのであるから、各表示モニタ装置４０（４１）の開き時には、当該開いた箇所における操作ボタン部（キー）の入力操作に応じた画像が開いた表示モニタ装置の画像表示面に表示されるように構成しておけば、操作ボタン部を配列した領域と表示モニタ装置の配置領域とを別々の領域に設定した場合に比べて、操作ボタン部を配列した領域を小さくすることなく、表示モニタ装置の配置領域を大きくすることができる。
【００３０】
第２実施形態は、図３（ａ）〜図３（ｃ）に示し、左右一対の表示モニタ装置４０、４１は観音開き状に開閉回動するように構成されている。即ち左側の表示モニタ装置４０は、その左端部が操作パネル部１４に回動可能に枢支されており、右側の表示モニタ装置４１はその右端部が操作パネル部１４に回動可能に枢支されている。各表示モニタ装置４０、４１は、その画像表示面４０ａ、４１ａが下向きになる閉止姿勢から、上向きになる全開姿勢まで略１８０度回動可能に構成されている。その他の構成（キーや操作ボタン部の種類及び配置）は第１実施形態であるので、同じ符号を付して、詳細な説明は省略する。第２実施形態でも、左右両表示モニタ装置４０、４１を伏せる（閉止する）ことにより、あまり使用しないボタン部（キー）が埃で汚れるのを防止できる。また、各表示モニタ装置４０（４１）の開き時には、当該開いた箇所における操作ボタン部（キー）の入力操作に応じた画像が開いた表示モニタ装置の画像表示面に表示されるように構成しておけば、操作ボタン部を配列した領域と表示モニタ装置の配置領域とを別々の領域に設定した場合に比べて、操作ボタン部を配列した領域を小さくすることなく、表示モニタ装置の配置領域を大きくすることができる。
【００３１】
図４（ａ）及び図４（ｂ）は第３実施形態を示す。この実施形態では、左右に長い１個の表示モニタ装置４６はその奥端部を蝶番を介して操作パネル部１４に枢支されている。そして、表示モニタ装置４６の表裏両面に画像表示面４６ａ、４６ｂを有している。即ち、表示モニタ装置４６が閉止されているとき（前向きに伏せた状態）では、表面側の画像表示面４６ａが上を向いており（図４（ａ）参照）、裏面側の画像表示面４６ｂが下面を向いている。表示モニタ装置４６が開いているとき（後向きに起立した状態）では、画像表示面４６ｂが前方を向いている（図４（ｂ）参照）。
【００３２】
そして、表示モニタ装置４６が伏せられた状態のとき、裏面側の画像表示面４６ｂと対面する領域毎（画像表示面４６ｂで隠される領域）に所定の機能を有する多数の操作ボタン部４７が配置されている（図４（ｂ）参照）。図示実施形態では、操作ボタン部４７は、英字などの文字入力用及び文字種類変換用の多数個の操作ボタンである。この操作ボタン部４７は、短縮番号登録時などの氏名、会社名称などの入力作業、基本設定作業等に使用するものであり、頻繁には使用しない。また、表示モニタ装置４６より左外側に配置される操作ボタン部４８は、数字入力用の多数個の操作ボタン（テンキー）であり、表示モニタ装置４６より右外側には、電源ＯＮ・ＯＦＦボタン４３ａと、カラースタートボタン４３ｂと、モノクロスタートボタン４３ｃとが前後方向に配置され、それらの左隣部位には、画像表示面４０ａ，４１ａにおける画像スクロールなどの選択用ボタン４４と、ＯＫキー４３ｄ、クリアキー４３ｅ、メニューキー４３ｆが配置されている。
【００３３】
この第３実施形態では、表示モニタ装置４６が伏せられた状態のとき、表面側の画像表示面４６ａが上を向いているので、使用頻度の高い、数字入力用の操作ボタン部４８や、電源ＯＮ・ＯＦＦボタン４３ａと、カラースタートボタン４３ｂと、モノクロスタートボタン４３ｃを使用し、その表示、機能の状態を画像表示面４６ａに表示させることができる一方、表示モニタ装置４６を開いた状態のときには、上記使用頻度の高い操作ボタン部を使用できると共に隠されていた操作ボタン部４７が露になるので、その部分の操作に対応した画像などを画像表示面４６ｂに表示させることができる。
【００３４】
いずれの実施形態でも、操作ボタン部を配列した領域を広げたものでありながら表示モニタ装置自体を大型にすることができるのであり、限られた面積の操作パネル部１４に、多数の操作ボタン部を配置しながら、大型化した表示モニタ装置を配置でき、画像記録装置を大型化することなく、操作性を向上させることができるという顕著な効果を奏する。また、使用頻度の高い操作ボタン部分が開閉回動する表示モニタ装置によって隠されることがなく、これによっても、画像記録装置の操作性が向上するのである。
【図面の簡単な説明】
【００３５】
【図１】（ａ）〜（ｃ）は本発明の第１実施形態の画像記録装置の使用状態を示す斜視図である。
【図２】本発明の画像記録装置の側断面図である。
【図３】（ａ）〜（ｃ）は本発明の第２実施形態の画像記録装置の使用状態を示す斜視図である。
【図４】（ａ）、（ｂ）は本発明の第３実施形態の画像記録装置の使用状態を示す斜視図である。
【符号の説明】
【００３６】
１      多機能装置
２      本体ケース
３      第１給紙カセット
３ａ    収容部
４      記録ヘッド
５      キャリッジ
６      給紙手段
８      傾斜分離板
１４    操作パネル部
３３    第２給紙カセット
４０    左側表示モニタ装置
４１    右側表示モニタ装置
４０ａ、４１ａ    画像表示面
４２ａ、４２ｂ    操作ボタン部
４３ａ〜４３ｆ    操作ボタン部
４６    表示モニタ装置
４６ａ、４６ｂ    表裏の画像表示面
４７    操作ボタン部
４８    数字入力用ボタン部
【図１】
2008006698.tif 000003
【図２】
2008006698.tif 000004
【図３】
2008006698.tif 000005
【図４】
2008006698.tif 000006